(57)【要約】【課題】天板の上面にシート状のＬＡＮシステム用導波体を配置して、導波体に下方からコネクタを当接させている家具において、コネクタを配置するための穴を天板に空けたことに起因して生じる強度低下を防止する。【手段】導波体９には打ち抜き穴１６が空いており、打ち抜き穴１６に、通信面を下向きにした中継部材１７が嵌め込まれている。天板１の基板８には中継穴２４が空いており、中継穴２４にコネクタ１９が配置されている。中継穴２４の箇所に、中継部材１７と導波体９とを支持する第１支持板２６と、コネクタ１９を支持する第２支持板３０とが配置されている。第１支持板２６はブラケット２７を介して基板８に固定されている。【選択図】図４
2010022659.tif 000002
【特許請求の範囲】
【請求項１】
天板を構成する基板の上面に、電子機器との間で無線送受信を行うためのシート状の導波体が配置されており、前記基板のうち導波体と重なった部分又は導波体の周縁近傍部に上下開口の中継穴が空いており、前記中継穴に無線通信用のケーブル付きコネクタを配置している、
という家具であって、
前記基板の中継穴に配置したコネクタの上面に、当該コネクタと導波体との間に電波を伝える中継部材が設けられており、かつ、前記基板に、前記中継穴の箇所で中継部材と導波体とコネクタとのうち少なくとも１つを下方から支持する受け部材が設けられている、
家具。
【請求項２】
前記コネクタは円柱状であってその外周に継手及びプラグを介してケーブルが接続されている一方、前記中継穴はコネクタの外径寸法より大きい内径の平面視円形に形成されており、前記コネクタを、ケーブルの接続部と中継穴の内周面との間に大きな間隔が空くように軸心を中継穴の中心からずらした状態で配置している、
請求項１に記載した家具。
【請求項３】
前記導波体は上面のみが電波の送受信を行う通信面になっており、前記導波体に、前記中継穴に連通する打ち抜き穴が空いており、前記打ち抜き穴に、前記導波体と同じ構造の中継部材が、通信面を下向きにすると共に外周面を中継穴の内周面に密接させた状態で嵌め込まれており、前記中継部材の下面にコネクタが固定されていると共に、これら中継部材とコネクタとは受け部材で下方から支持されている、
請求項１又は２に記載した家具。
【請求項４】
前記導波体は基板に接着されていると共に上面には硬質樹脂製の化粧板が接着されている、
請求項１〜３のうちの何れかに記載した家具。
【請求項５】
前記天板は、基板に導波体が重なっている通信エリアと導波体が重なっていない非通信エリアとに区分されており、前記基板の上面のうち非通信エリアの箇所には導波体と同じ厚さの補助板が重ね保持されており、補助板と導波体とは１枚の硬質樹脂製化粧板が上方から覆われている、
請求項１〜４のうちの何れかに記載した家具。
【発明の詳細な説明】
【技術分野】
【０００１】
本願発明は、無線ＬＡＮシステムに組み込んで使用するのに好適な家具に関するものである。
【背景技術】
【０００２】
無線ＬＡＮシステムは、ＬＡＮケーブルを一々パソコン等に接続する必要がないため機動性に優れている。しかし、従来は、パソコン等の電子機器の間での信号（データ）のやりとりは室内に設置したアンテナを介して行われていることから、電子機器とアンテナとの距離はかなり遠い場合もあるため電波はある程度の強さがなけさればならず、このため、電波を外部から傍受される可能性があってセキュリティに劣る問題があった。
【０００３】
しかし、電波の届く範囲が例えば数十センチしかない場合は、実質的に傍受は不可能であるためセキュリティは確保される。この点に着目して特許文献１は、上面のみを送受信可能な通信面と成したシート状の導波体（特許文献１の用語は信号伝達装置）を提案している。すなわちこの特許文献１の導波体は一種のシート状アンテナであり、一般には、導波体はテーブル（机）等の家具の天板に重ね配置したり一体に組み込んだりして使用される。パソコンは導波体に載せたり近づけたりして使用されるもので、パソコンに内蔵したアンテナと導波体との距離は僅かであるため、電波が微弱であっても通信は支障なく行われる。
【発明の開示】
【発明が解決しようとする課題】
【０００４】
上記のとおり導波体は一種のシート状アンテナであり、ＬＡＮシステムとして機能させるためには、その任意部位にケーブル付きのコネクタ（特許文献１の用語はインターフェース装置）を導波可能な状態に配置せねばならない。コネクタの配置手段として最も単純なのは、コネクタを導波体の上面（通信面）の任意の場所に当てる（密着させる）ことであるが、これでは導波体の上面にコネクタが露出するため体裁が悪いのみならず、コネクタがパソコン等の邪魔になりやすいという問題がある。
【０００５】
そこで、コネクタを導波体の下方に隠すことが考えられる。この場合は、導波体が載っている天板に穴を開けて、この穴の内部にコネクタを配置することになるが、コネクタはある程度の大きさ（例えば直径数ｃｍ）があるので、穴の箇所における強度低下の問題が生じる。
【０００６】
本願発明は、このような現状を改善すべく成されたものである。
【課題を解決するための手段】
【０００７】
本願発明は、天板を構成する基板の上面に、前記天板に載せた電子機器との間で無線送受信を行うためのシート状の導波体が配置されており、前記基板のうち導波体と重なった部分又は導波体の周縁近傍部に上下開口の中継穴が空いており、前記中継穴に無線通信用のケーブル付きコネクタを配置している、という家具に関する。そして、本願発明では、前記基板の中継穴に配置したコネクタの上面に、当該コネクタと導波体との間に電波を伝える中継部材（中継手段）が設けられており、かつ、前記基板に、前記中継穴の箇所で中継部材と導波体とコネクタとのうち少なくとも１つを下方から支持する受け部材が設けられている。
【０００８】
本願発明は様々の構成を含んでおり、その例を請求項２〜５に記載している。このうち請求項２の発明は、請求項１において、前記コネクタは円柱状であってその外周にケーブルが継手及びプラグを介して接続されている一方、前記中継穴はコネクタの外径寸法より大きい内径の平面視円形に形成されており、前記コネクタを、ケーブルの接続部と中継穴の内周面との間に大きな間隔が空くように軸心を中継穴の中心からずらした状態で配置している。
【０００９】
請求項３の発明では、請求項１又は２において、前記導波体は上面のみが電波の送受信を行う通信面になっており、前記導波体に、前記中継穴に連通する打ち抜き穴が空いており、前記打ち抜き穴に、前記導波体と同じ構造の中継部材が、通信面を下向きにすると共に外周面を中継穴の内周面に密接させた状態で嵌め込まれており、前記中継部材の下面にコネクタが固定されていると共に、これら中継部材とコネクタとは受け部材で下方から支持されている。請求項４の発明は、請求項１〜３のうちの何れかにおいて、前記導波体は基板に接着されていると共に上面には硬質樹脂製の化粧板が接着されている。
【００１０】
請求項５の発明は、請求項１〜４のうちの何れかにおいて、前記天板は、基板に導波体が重なっている通信エリアと導波体が重なっていない非通信エリアとに区分されており、前記基板の上面のうち非通信エリアの箇所には導波体と同じ厚さの補助板が重ね保持されており、補助板と導波体とは１枚の硬質樹脂製化粧板が上方から覆われている。
【発明の効果】
【００１１】
本願発明では、コネクタは天板の上面から露出しないため、体裁が良いと共に、パソコン等の物を置いたり掃除をしたりするに際してコネクタが邪魔になることはない。また、導波体と中継部材とコネクタとのうち少なくとも１つが受け部材で支持されているため、中継穴の箇所において導波体に下向きの荷重がかかっても穴の箇所で導波体等がたわみ変形したり破損したりすることを防止又は著しく抑制して、導波体等の変形・破損を防止又は著しく抑制できる。
【００１２】
受け部材での支持態様は、導波体と中継部材とコネクタと中継穴との関係を考慮して選択したら良い。導波体が中継穴に露出していない場合は、当然ながら受け部材で導波体を支持することは有り得ず、受け部材では中継部材とコネクタとのうち何れか一方又は両方を支持したら良い。コネクタはある程度の面積があるので、コネクタは常に受け部材で支持するのが好ましい。
【００１３】
また、中継穴の内周面とコネクタとの外周面との間にある程度の大きさの空間が空いていて中継部材や導波体が中継穴に露出している場合は、それら中継部材と導波体とを受け部材で支持するのが好ましい。中継穴の内周面とコネクタとの外周面との間に僅かの間隔しか空いていない場合は、コネクタのみを支持しても強度を確保できる。
【００１４】
請求項１では中継穴の形状に限定はないが、請求項２のように中継穴を円形の形状にするとドリル（或いはその類似物）で簡単に加工できる利点がある。他方、コネクタとして円柱形でその外周にケーブルが接続されているものがあるが、この場合は、ケーブルは金属製の継手を介して接続されているため、ケーブルの付け根部のうちある程度の範囲は曲げることができず、従って、コネクタを中継穴の中心穴と同心に配置すると、中継穴の内径は非常に大きくなって受け部材も頑丈にせざるを得なくなる。これに対して請求項２の構成では、コネクタが偏心した状態で中継穴に配置されているため、中継穴の内径を過度に大きくすることなくコネクタを配置することができる利点がある。
【００１５】
導波体その上面が通信面になっているので、コネクタを平面視て導波体と重なるように配置した場合は、コネクタと導波体との間で電波が通るように工夫せねばならない。この工夫として請求項３のように導波体に打ち抜き穴を開けてこれに中継部材を嵌め込むと、中継部材として導波体から打ち抜いたものをそのまま使用できるため、加工の手間を省くことができると共に、高い通信特性を確保することができる。
【００１６】
導波体はその上面を露出させた状態に配置することも可能であるが、請求項４のように硬質樹脂製の化粧板で覆うと、導波体が傷付くのを防止したり、筆記作業を行いやすいといった利点がある。化粧板としてはメラミン樹脂板が好適である。
【００１７】
導波体は天板の略全面に張ることも可能であるが、導波体は高価であり、また、パソコン等の電子機器は一般に天板の上面のうち前端面よりもある程度奥側に載せることが多いため、天板の上面のうち手前寄りの部分は導波体を設ける必要性が乏しいと言える。従って、コストの面からは、天板は導波体が配置された通信エリアと導波体が配置されていない非通信エリアとに分けるのが好適である。そして、このように天板を通信エリアと非通信エリアとに分けてしかも上面の全体を化粧板で覆う場合、基板のうち導波体が重なる部分を導波体の厚さ寸法分だけ段落ち加工して、基板の上向き露出部と導波体とを覆う状態で化粧板を貼るといったことも可能であるが、導波体と同じ深さの段部を正確に加工するのは不可能ではないが面倒である。
【００１８】
これに対して請求項５の構成を採用すると、導波体と同じ厚さの補助板を用意することにより、１枚の化粧板で覆われた状態で通信エリアと非通信エリアとを正確にかつ簡単に加工することができる利点がある。なお、請求項４，５の構成はそれ自体が独立した発明たり得る。また、中継穴にコネクタを配置する構成も本願発明とは独立した発明たり得るものである。
【発明を実施するための最良の形態】
【００１９】
次に、本願発明の実施形態を図面に基づいて説明する。本実施形態は、家具の一例としてのテーブル（机）に適用している。図１〜図８では第１実施形態を示し、図９以下では他の実施形態を示している。以下、順次説明する。
【００２０】
(1).第１実施形態の概要
まず、第１実施形態の概要を図１〜３に基づいて説明する。図１のうち（Ａ）はテーブルの部分的な平面図、（Ｂ）は部分的な正面図、（Ｃ）は側面図である。テーブルは例えば商談や打ち合わせに多用されるもので、平面視で長方形の天板１と、天板１をその左右両端寄り部位において支える左右の脚装置２とを有している。脚装置２は前後の足を有している。また、左右の脚装置２は天板１の下面に固定された前後の上バー３ａと前後中間部に位置した下バー３ｂとで連結されている。
【００２１】
天板１の中央部には左右横長で平面視略長方形の配線穴４が空いており、配線穴４には蓋板５が着脱自在に配置されている。蓋板５の前後幅は配線穴４の前後幅よりも小さく、このため、蓋板５を装着した状態で当該蓋板５の前後両側に配線通路が空いている。
【００２２】
天板１の下面には、横長中心線に沿って延びる作用横長の配線受け板６が左右のハンガー７を介して吊支されている。配線受け板６は配線穴５の左右両側まで延びている。ハンガー７はスチール製で左右に開口しており、また、配線受け板６もスチール製で側面視で上向きコ字状になっている。配線受け板６と左右脚装置２の上端部との間にはある程度の間隔で空いている。
【００２３】
図２は天板１の一部破断平面図、図３は図１の III-III視断面図である。図３に示すように、天板１は、強度メンバーとしての基板８を有しており、基板８の上面に、横長中心線に沿って延びる左右長手でシート状の導波体９と、導波体９の外側に位置した補助板１０とが接着されており、かつ、導波体９と補助板１０とは、硬質樹脂製化粧板の一例としてのメラメン樹脂板１１で覆われている。従って、補助板１０の箇所は非通信エリアになっている。
【００２４】
基板８の上面はフラットになっていると共に、導波体９と補助板１０とは等しい厚さであり、メラメン樹脂板１１は導波体９及び補助板１０とに接着剤で接着されている。本実施形態の基板８は集成材や合板のような木板が使用されており、基板８の外周部は傾斜状にカットされてこの傾斜部にロアーエッジ１２を固着している。また、基板８と補助板１０とメラメン樹脂板１１との端面はアウターエッジ１３で囲われており、更に、配線穴５の内周にはインナーエッジ１４を張っている。
【００２５】
導波体９は基本原理は特許文献１に開示されたものと同じで、格子状の金属膜が樹脂層に埋設された導波層と、導波層の上下に積層した保護層と、下保護層の上面又は下面に張った金属箔製シールド層とを有している。導波体９はその上面が通信面になっておれば足り、構造には限定はない。例えば、下保護層をなくしてシールド層を導波層の下面に直接に貼ったり、上保護層を無くしたりすることも可能である。
【００２６】
導波体９は天板１よりも左右寸法及び前後寸法とも短い長方形に形成されており、天板１の上面にパソコンを載せて使用するにおいて、一般には、パソコンは導波体９と部分的に重なる状態で置かれる。従って、パソコンに内蔵した（或いは外側露出して設けた）無線アンテナと導波体９との間で電波のやりとりが可能になる（なお、パソコンは導波体９から多少は離れていても送受信可能である。）。
【００２７】
導波体９をＬＡＮシステムに組み込むには、ＬＡＮシステムのコネクタが導波体９に通信可能な状態に接続されねばならない。次に、コネクタの取り付け構造を、従前の図に加えて図４以下の図面も参照して説明する。図４は要部の分離斜視図、図５は要部の底面図、図６は図５のVI−VI視断面図、図７は図５の VII-VII視断面図、図８のうち（Ａ）は図５の VIIIA-VIIIA視断面図である。
【００２８】
(2).コネクタ取り付け構造
導波体９の下面はシールド面になっているのでコネクタを下面に当てても通信することはできない。そこで、例えば図２や図４に示すように、導波体９のうち一方のハンガー７の外側に位置した部位に平面視長方形の打ち抜き穴１６を空けて、この打ち抜き穴１６に、当該打ち抜き穴１６と同じ形状の中継部材１７を嵌め込み装着している。中継部材１７は導波体９から打ち抜かれた残余物をそのまま使用しており、通信面１７ａを下向きにした状態で打ち抜き穴１６に嵌め込んでいる。このため、中継部材１７の外周面は打ち抜き穴１６の内周面に密着しており、中継部材１７は導波体９と一枚板の状態で繋がっている。
【００２９】
そして、中継部材１７の下面にコネクタ１９を重ねると、電波は中継部材１７の下面と端面とを介して導波体９の内部に伝わる。図４に示すように、コネクタ１９は円柱状の外観を呈しており、その外周の一部に継手２０を突設しており、継手２０に通信ケーブル２１の一端部がプラグ２２によって取り付けられている。ケーブル２１の他端部は、図１（Ｂ）に示すアクセス機器（中継機）２３に接続されている。アクセス機器２３にはＬＡＮケーブルが接続されており、ＬＡＮケーブルはサーバやハブ、或いはルータに接続されている。
【００３０】
天板１の基板８には、コネクタ（カプラ）１９を配置するための中継穴２４が空いている。中継穴２４は平面視円形（真円形）であり、平面視で中継部材１７と重複している。より正確に述べると、例えば図５に示すように、中継穴２４は中継部材１７の横幅寸法より大径であり、中継部材１７はその大部分が中継穴２４に露出しつつも一部は中継穴２４から外れている。中継部材１７のうち中継穴２４から外れている部分（端部）は基板８とメラメン樹脂板１１とで挟まれており、このため、天板１を組み立て工程で中継部材１７が脱落することはない（中継部材１７はメラメン樹脂板１１に接着しておくのが好ましい。）。
【００３１】
コネクタ１９はその外周から金属製の継手２０が突設しており、かつ、継手２０には金属製のコネクタ２２が接続されている。そこで、コネクタ１９は継手２０を設けている部分と中継穴２４との間に大きな間隔が空くように偏心した状態で中継穴２４に配置しており、このため、コネクタ１９のうち継手２０と反対側の部分は中継穴２４の内周面に近接している。中継穴２４の内径はコネクタ１９の外径のおおよそ２倍程度になっている。コネクタ１９はおおよそ天板１の横長中心線２５の箇所に配置しており、このため中継穴２４は横長中心線の前後外側にある程度の寸法だけずれた状態で空いている。
【００３２】
中継穴２４を空けたことにより、メラメン樹脂板１１と中継部材１７と導波体９とは中継穴２４の箇所で下方からの支持を失っており、このため、なんらの支持手段がないと机上のうち中継穴２４の箇所に物を置いたり物が強く当たったりすることにより、メラメン樹脂板１１や導波体９が破損・変形する虞がある。
【００３３】
そこで、図４に全体を示すような受け部材を設けている。すなわち、受け部材は、中継穴２４の内部に嵌め込まれて中継部材１７と導波体９とを支持する第１支持板２６と、第１支持板２６を下方から支持する前後一対ずつのブラケット２７と、第１支持板２６の下面に固定されたスペーサ２８と、スペーサ２８にビス２９で固定された第２支持板３０とで構成されており、第２支持板３０でコネクタ１９を下方から支えている。第２支持板３０は中継穴２４を塞ぐカバーの役割も果たしている。
【００３４】
第１支持板２６は中継穴２４にきっちり嵌まる円形の外形であり、コネクタ１９が嵌まるうち逃がし穴３１が偏心した状態で空いている。また、第１支持板２６の前後両端寄り部位には、平面視でハの字の形態をなす２個ずつの係合穴３２が外周面に近接した状態で空いている。左右一対の係合穴３２がハの字の形態を成しているが、ハの字は平面視において逃がし穴３１に対して凹の姿勢になっている。このため、係合穴３２を第１支持板２６の外周にできるだけ近づけることができる。
【００３５】
ブラケット２９は鉛直部２９ａと下水平部２９ｂとを有してＬ形に形成されており、下水平部２９ｂはビス３３で基板８の下面に固定されている。基板８にはビス３３が螺合する鬼目ナット３４を埋設している。ブラケット２９の鉛直部２９ａで第１支持板２６を支持しているが、鉛直部の上端には、第１支持板２６の係合穴３２に嵌まる係合突起３５を突設している。このため、ブラケット２９と第１支持板２６は正確に位置決めされる。
【００３６】
図８（Ａ）に示すように、係合突起３５の突出寸法ｅは、第１支持板２６の板厚ｔと同じかやや小さい寸法に設定している。これは、係合突起３５で中継部材１７が突き上げられることを防止するためである。第１支持板２６における一対ずつの係合穴３２は平面視でハの字の形態を成しているので、一対の係合穴３２に対応した一対のブラケット２７も平面視でハの字の姿勢を成している。なお、コネクタ１９は中継部材１７に接着剤で接着しておくのが好ましい。
【００３７】
スペーサ２８は中継穴２４の横長中心線に沿って左右方向に延びており、スポット溶接によって第１支持板２６の下面に固着されている。また、コネクタ１９との干渉を回避するため、逃がし溝３６を形成している。更に、スペーサ２８の左右両端部にはＬ形の下向き足片２８ａを折り曲げ形成しており、下向き足片２８ａの水平部に第２支持板３０をビス２９で固定している。第２支持板３０の前後両端部はブラケット２７との干渉を防止するため山形にカットされており、また、山形にカットされた一方の端部にはケーブル２１を引き出すための切欠き溝３７を形成している。
【００３８】
(3).まとめ
図８（Ｂ）では導波体９と中継部材１７との関係を示しており、この図に示すように、電波は、中継部材１７の下面、中継部材１７の外周面と打ち抜き穴１６の内周面、導波体９の上面を通じてパソコンとコネクタ１９との間に送受信される。そして、中継穴２４に露出している中継部材１７と導波体９とは第１支持板２６で下方から支持され、かつ、導波体９は第２支持板３０で下方から支持されているため、中継穴２４の箇所において天板１は高い支持強度が確保されており、中継穴２４の箇所が下向きに強く押されることでメラメン樹脂板１１が破損変形すると言った不都合はない。
【００３９】
本実施形態のように一対のブラケット２７をハの字の姿勢で配置すると、両ブラケット２７の間にケーブル２１の引き出し空間を設けることができるため、ケーブル２１の引き出し構造が簡単になる利点がある。
【００４０】
ところで、ブラケット２７は第１支持板２６に折り曲げ形成することも可能であるが、その場合、ブラケット２７の折り目は一直線状であるため、ブラケット２７と中継穴２４の内周との間では、中継部材１７及び導波体９は第１支持板２６で支持されていない状態になり、支持強度が低下する。特に、取り付け強度を高くするためブラケットの幅を大きくすると折り目は第１実施形態２６の外周（仮想外周）から中心線寄りにずれざるを得ず、すると、中継部材１７又は導波体９（或いは両方）が第１支持板２６で支持されない面積が大きくなり、支持強度の低下が顕著に顕れる。
【００４１】
これに対して本実施形態のようにブラケット２７を第１支持板２６とは別部材に構成すると、第１支持板２６は中継穴２４の内周にきっちり嵌まる大きさに設定できるため、中継部材１７及び導波体９に対する高い支持強度を確保できる。
【００４２】
本実施形態のように足部２８ａを有するスペーサ２８を設けると、スペーサ２８が補強部材として機能するため、受け部材の全体としのて剛性を高めて中継部材１７と導波体９とコネクタ１９との支持強度を向上できる利点がある。また、スペーサ２８を設けずに第２支持板３０を基板８の下面にビスで固定することも可能であるが、スペーサ２８を使用すると、スペーサ２８は正確な寸法に加工できるため、コネクタ１９を的確に支持できる利点がある。
【００４３】
更に、本実施形態のように導波体９と中継部材１７とを中継穴２４に露出させると、導波体９と中継部材１７とはメラメン樹脂板１１と第１支持板２６とで上下から挟まれた状態になるため、導波体９と中継部材１７とを１枚板状態に確実に保持して両者が上下にずれることを防止することができ、その結果、良好な通信特性を確保することができる。
【００４４】
さて、基板８に中継穴２４を空けたことに起因しているのか、打ち抜き穴１６を開けてこれに中継部材１７を嵌め込んだことに起因しているのか定かでないが、メラメン樹脂板１１が中継穴２４の箇所で上向きに盛り上がった状態や下向きに凹んだ状態に変形することがある。この点に対して、下向きの凹みは第１支持板２６を設けたこと、又はコネクタ１９を下方から支持したこと、若しくは両方によって防止できる。
【００４５】
また、上向きに盛り上がる現象は、第１支持板２６を中継部材１７に接着したり、コネクタ１９を第２支持板３０に接着したりすることによって防止できる。或いは、下方から第１支持板３０やコネクタで支持されているため、接着しなくても、下向きに押すと、フラットになった状態が第１支持板３０やコネクタで保持されることも有り得る（すなわち、第１支持板３０とコネクタ１０との上面に倣ってフラットな状態が保持されることも有り得る。
【００４６】
図９では第２実施形態を示している。（Ａ）は平面図、（Ｂ）は（Ａ）のＢ−Ｂ視断面図である。この実施形態ではコネクタ１９にはその下面にケーブル２１が接続されており、そこで、コネクタ１９を中継穴２４の中心部に配置している。また、この実施形態では中継穴２４は平面視で角形に形成されており、ブラケット２７は第１支持板２６に折り曲げ形成しており、かつ、第２支持板３０はブラケット２７と一緒に基板８にビス３９で共締めしている。
【００４７】
また、この実施形態では基板８の上面の全体に導波体９が広がっており、かつ、導波体９と中継部材１７とはいずれも上面に露出している。導波体９と中継部材１７とは基板に接着されている。もとより、メラメン樹脂板１１で覆うことも可能である。
【００４８】
図１０では第３実施形態を示している。（Ａ）は平面図、（Ｂ）は（Ａ）のＢ−Ｂ視断面図である。この実施形態では、導波体９を挟んだ前後両側に非通信エリア４０が広がっており、中継部材１７は一方の非通信エリア４０に配置している。そして、中継部材１７と補助板１０とコネクタ１９とを一体構造の受け部材４１で支持している。
【００４９】
図１１では第４実施形態を示している。この実施形態は、スチール製基板８を補強枠４２で支持して成るスチール天板に適用したものである。基板８の中継穴２４はコネクタ１９を嵌め込み得るに足りるだけの大きさであり、そこで、コネクタ１９だけを受け部材４３で支持している。受け部材４３は補強枠４２にビスで固定されている。
【００５０】
図１２では第５実施形態を示している。この実施形態は基本構成は第１実施形態と同じであるが、導波体９におけるシールド部（例えば金属箔）のうちコネクタ１９が重なる部位を切除して送信部４４と成し、この送信部４４を中継部材１７に兼用している。ブラケット２７は省略している。
【００５１】
(5).その他
本願発明は上記の実施形態の他にも様々に具体化できる。例えば中継部材や中継穴の形状は任意に設定できる。また、受け部材の形態・構造も、中継部材やコネクタ等の他の要素に応じて適宜変更できる。また、本願発明の適用対象はテーブルに限定されるものではなく、パソコン等の無線機能付き電子機器を載せて使用できる家具に広く適用できる。更に、本願発明にいう家具は、例えば建物に一体に設けた棚やカウンターのような内装物も含む概念である。天板は基板のみからなる構造でも良い。コネクタのケーブルは分離不能な状態で取り付けられていても良い。受け部材は、中継穴に嵌まるキャップ方式として、樹脂の成形品とすることも可能である。
【図面の簡単な説明】
【００５２】
【図１】第１実施形態に係るテーブルの外観を示す図である。
【図２】天板の一部破断平面図である。
【図３】図１の III-III視断面図である。
【図４】要部の分離斜視図である。
【図５】要部の底面図である。
【図６】図５のVI−VI視断面図である。
【図７】図５の VII-VII視断面図である。
【図８】（Ａ）は図５の VIIIA-VIIIA視断面図、（Ｂ）は導波体と中継部材との関係を示す部分断面図である。
【図９】第２実施形態を示す図である。
【図１０】第３実施形態を示す図である。
【図１１】第４実施形態を示す図である。
【図１２】第５実施形態を示す図である。
【符号の説明】
【００５３】
１  天板
８  天板の基板
９  導波体
１０  補助板
１１  化粧板の一例としてのメラメン樹脂板
１６  打ち抜き穴
１７  中継部材
１９  コネクタ
２０  継手
２１  ケーブル
２２  コネクタ
２３  アクセス機器
２６  受け部材を構成する第１支持板
２７  受け部材を構成するブラケット
２８  受け部材を構成するスペーサ
３０  受け部材を構成する第２支持板
３２  係合穴
【図１】
2010022659.tif 000003
【図２】
2010022659.tif 000004
【図３】
2010022659.tif 000005
【図４】
2010022659.tif 000006
【図５】
2010022659.tif 000007
【図６】
2010022659.tif 000008
【図７】
2010022659.tif 000009
【図８】
2010022659.tif 000010
【図９】
2010022659.tif 000011
【図１０】
2010022659.tif 000012
【図１１】
2010022659.tif 000013
【図１２】
2010022659.tif 000014